(57)【特許請求の範囲】
【請求項１】
フードの作業室開口面の開閉、開口高さの調整及び作業室内観察用のパネルを略、全面に亘って二重構造とし、その四周縁端面のうち、左右の支承滑動部を二重パネル内空間に対して密封すると共に、少なくとも下縁端面を開放し、前記二重パネルをその左右支承滑動部を介して作業室開口面に沿って上下方向に移動させるようにしたフードにおいて、作業室の開口高さに応じ送気量の調整が可能な圧力空気供給部を前記二重パネルの上縁端開口に連通させると共に、前記フード作業室開口面の開閉、高さの調整及び作業室内観察用のパネルの下縁端開口に対向する作業室開口下縁枠の略、全幅面に亘り吸気口を設け、圧力空気を前記二重パネルの上縁端開口及び二重パネル内空間を通じ、その下縁端開口から放出すると共に、前記作業室開口下縁枠に設けられた吸気口により該放出される空気流及び吸気口近辺の空気を吸排気して、外気に放出する事を特徴とした作業開口面に移動式プッシュ気流を備えたフード。
【請求項２】
二重構造パネルの左右端をワイヤーにより吊り、前記ワイヤーを共通の回転軸の両端に固着した左右のドラムに捲き掛けて吊り下げ支承する際に、ワイヤーに掛かるパネル重量を定荷重装置によって略、キャンセルさせ、その余の負荷の不衡平を釣合い重錘を用いて微妙に調整する事よりなる請求項１記載の作業開口面に移動式プッシュ気流を備えたフード。
【請求項３】
二重構造パネルの左右端をチェーンにより吊り、前記チェーンを共通の回転軸の両端に固着したスプロケットに捲き掛けて吊り下げ支承する際に、チェーンに掛かるパネル重量を定荷重装置によって略、キャンセルさせ、その余の負荷の不衡平を釣合い重錘を用いて微妙に調整する事よりなる請求項１記載の作業開口面に移動式プッシュ気流を備えたフード。
【請求項４】
前記フード作業室開口面の開閉、高さの調整及び作業室内観察用のパネルの下縁端開口に対向する前記作業室開口下縁枠に設けられた吸気口は、二重パネルの下縁端開口から放出される空気流及び吸気口近辺の空気を吸排気するとき、作業室の開口高さ又は二重パネルの下縁端開口から排出される空気流に応じ、吸気量の調整をするものである請求項１乃至３項のうちの何れか１項記載の作業開口面に移動式プッシュ又はプッシュプル気流を備えたフード。
【発明の詳細な説明】
【技術分野】
【０００１】
本発明は、特定化学物質、有機溶剤、生化学、放射性物質等を作業室内で取り扱う前面縁付きフード（流し台を含む）において、作業開口面を取り囲む縁枠上面と縁枠下面とが略、同一平面内に形成されたフードに関する。
【背景技術】
【０００２】
フードの作業室内に発生する有害物質（ガス・蒸気・ミストを含む）をフードの室内から作業開口を通して実験室に洩出させないために、作業室を排気装置に連通して作業室空間を常時、実験室内より低圧に保って置く事が行なわれているが、作業室開口面積が広くなれば、その全面から作業室内空間物質を実験室に洩出させないために必要な作業室内からの排気量が大きくなり、作業室内から開口面を通して吸気する実験室の空気量が大きくなる事から、その対策として作業室開口上縁部に固定式の空気漏洩防止用エアカーテンを設置、稼働させて、作業室と室内との間を遮断しているのが現状である。
【０００３】
上述の通り、現在のエアカーテン付設フードは、フード前面パネル（フード作業室と実験室との間を繋ぐ開口を開閉する「サッシ」又は「扉」とも言う。）前方又はパネルの前方、後方に外部の空気を取り込んで吹き出すエアカーテンを形成して、フードの作業室と実験室内空調空気とを遮断することにより、室内空調空気のフード作業室内空間への流入量を減少させ（エアカーテン無し場合は、全て室内空調空気を排気している）、以って省エネルギー効果を高めている。
【０００４】
エアカーテン用空気吹き出し口がフード前面上部に配置されている場合、作業員がフード前面で立った際に、頭部が吹き出し口に触れないよう又作業室内を覗く事を妨げないよう、作業性に考慮し、より高い位置に開口しているので、構造上吹き出し口とフード前面パネル下端縁（作業室開口枠下縁）迄の距離が長くなり、そこでのエアカーテンの開口遮断効果を維持するために吹き出し空気流の厚さ、速度を大きくしているので、これに必要な外気取り入れ量（供給量）を多くせざるを得なかった。
【０００５】
その場合、外気温、湿度の侭のエアカーテン用吹き出し気流がフード前面で作業する作業員にまともに当たり、作業室開口中は常時、作業員は吹き出し空気流に曝され、特に、夏季は暑く、中間期は湿っぽく、冬季は温度、湿度が低いと言った、不快な作業環境を形成する。
空調空気をエアカーテン用吹き出し空気に利用する事は実質上可能ではないだろうが、仮に空調空気を利用している場合も、エアカーテン用空気量が多いために同設備から生じる風切り音が、不快な作業環境を形成する。
【０００６】
更に、作業室に粉塵等が混じった気体が流入すると、所望の実験が可能でない場合が生じるので、エアカーテン吹き出し空気はフィルターを通す事が要望されているが、従来のエアカーテン付設フードでは外気取り入れ量が多く、ファン容量、フィルターの処理能力を大きくしなければならないので、構造上、フィルターを設備する事が困難であるか、オプションである場合が多い。
上述の通りで、従来型式のエアカーテン設備がフードに付設されているときは、諸種の不都合が生じ、使い勝手が悪い。
【０００７】
そこで、改良されたドラフトチャンバーを調べると、それは後に挙げる特開平７-２７５７１７号公報に記載のフードで、今、その概要を述べると、次の通りである。
外気を導入する循環ブロワが設けられ、この循環ブロワの吐出側にはドラフトチャンバー本体の前面側まで延びる分岐路と処理室に連通する分岐路とからなる給気路が接続されている。ドラフトチャンバー本体内には、その前面に沿って上下にスライドし開口部を開閉する、１対のガラス板と噴気口を有する底板を備えた中空状扉が設けられており、循環ブロワによって導入される外気は、分岐路、空気室、通気口を経て扉収容空間まで供給された後、扉の上端から扉の中空部に導かれ、扉下端の噴気口から下方に向けて均一な風量分布で、かつ高められた風速で噴出し、エアカーテンを形成するようにして成るエアカーテン付設フードである。
【０００８】
更に、詳細構造を見るに、前記空気室、通気口の流路を選択するダンパーの作動は、作業室開口部を開閉する１対のガラス板（扉）の移動動作と上下方向位置とによって制御されて、作業室内空間にエアカーテン用供給気体を分流するものと解されるから、これでは、扉が充分に締め切らないうちに開口から作業室内空間の気体が外部へ洩出する恐れがある。又、その際、循環ブロワの出力風量は制御されている形跡が見当たらない。
又、エアカーテンを形成する扉下端の噴気口は底板に設けてあるのでに、扉の開き位置によっては、前記底板が作業室内を覗くことを妨げる。
扉の構造が１対のガラス板より成り、通常のパネルに較べて充分に重いものであるにも拘わらず、単にバランスウエイトにより、扉重量の釣り合いを保持しているが、これでは扉の開閉動作が円滑にならない。
扉を閉め切った後、作業室内空間にエアカーテン用供給気体が分流するので、実験内容によっては、実施できないものもある。
【０００９】
【特許文献１】特開平７−２７５７１７号公報
【非特許文献１】ドラフトチャンバーカタログ   株式会社ＤＡＬＴＯＮ Vol．3  第１7〜４6ページ
【発明の開示】
【発明が解決しようとする課題】
【００１０】
解決しようとする課題は、従来使用中のエアカーテン付設フードに付随する上述諸種の不都合を全て解消し、比較的に少量の空気量によって作業室開口の効率的な遮断を実現する移動式エアカーテンを付設した、作業環境、省エネ効果を損なうことなく使い勝手の良好なフードを提供しようとするものである。
【課題を解決するための手段】
【００１１】
本発明は、上記課題を解決するため、下記の各構成要件を具備した作業開口面に移動式プッシュ又はプッシュプル気流を備えたフードを特徴とする。
【００１２】
（１）フードの作業室開口面の開閉、開口高さの調整及び作業室内観察用のパネルを略、全面に亘って二重構造とし、その四周縁端面のうち、左右の支承滑動部を二重パネル内空間に対して密封すると共に、少なくとも下縁端面を開放し、前記二重パネルをその左右支承滑動部を介して作業室開口面に沿って上下方向に移動させるようにしたフードにおいて、作業室の開口高さに応じ送気量の調整が可能な圧力空気供給部を前記二重パネルの上縁端開口に連通させると共に、前記フード作業室開口面の開閉、高さの調整及び作業室内観察用のパネルの下縁端開口に対向する作業室開口下縁枠の略、全幅面に亘り吸気口を設け、圧力空気を前記二重パネルの上縁端開口及び二重パネル内空間を通じ、その下縁端開口から放出すると共に、前記作業室開口下縁枠に設けられた吸気口により該放出される空気流及び吸気口近辺の空気を吸排気して、外気に放出する事を特徴とした作業開口面に移動式プッシュ気流を備えたフード。
【００１３】
（２）二重構造パネルの左右端をワイヤーにより吊り、前記ワイヤーを共通の回転軸の両端に固着した左右ドラムに捲き掛けて吊り下げ支承する際に、ワイヤーに掛かるパネル重量を定荷重装置によって略、キャンセルさせ、その余の負荷の不衡平を釣合い重錘を用いて微妙に調整する事よりなる上記（１）項記載の作業開口面に移動式プッシュ気流を備えたフード。
（３）二重構造パネルの左右端をチェーンにより吊り、前記チェーンを共通の回転軸の両端に固着した左右スプロケットに捲き掛けて吊り下げ支承する際に、チェーンに掛かるパネル重量を定荷重装置によって略、キャンセルさせ、その余の負荷の不衡平を釣合い重錘を用いて微妙に調整する事よりなる上記（１）項記載の作業開口面に移動式プッシュ気流を備えたフード。
（４）前記フード作業室開口面の開閉、高さの調整及び作業室内観察用のパネルの下縁端開口に対向する前記作業室開口下縁枠に設けられた吸気口は、二重パネルの下縁端開口から放出される空気流及び吸気口近辺の空気を吸排気するとき、作業室の開口高さ又は二重パネルの下縁端開口から排出される空気流に応じ、吸気量の調整をするものである上記（１）項乃至（３）項のうちの何れか１項記載の作業開口面に移動式プッシュ又はプッシュプル気流を備えたフード。
【発明の効果】
【００１４】
エアカーテンの空気吹き出し口をパネル下側縁に沿って開口しているので、吹き出し口と開口枠下縁との間が比較的に短かく、作業室開口の高さに適応して、僅かな供給空気量で作業室開口を効果的に遮断する事ができる。その為、空調室内空気をエアカーテン用気体に利用する事もできる。  又、作業の質に応じて、エアカーテンの吹き出し量を調整する事もできる。
従って、エアカーテン設備の全体が小規模で、設備費を抑制する事ができる。
試算によれば、従来型式のエアカーテンに較べて最大１／３乃至１／２程度の空気量で間に合う事になる。
【００１５】
更に、作業室開口枠を通じて作業員が腕を差入れている場合、腕陰の下流側に生じる空気渦に沿って作業室内気体が室外へ漏洩する傾向が生じるとか、作業室開口付近の室内に器具が置かれたときには、エアカーテン気流が乱れて遮蔽作用が破れる場合がある事に備えて、作業室開口枠下縁に穿設した吸（排）気口（孔）から、エアカーテンの吹き出し気流に応じた容量の吹き出し気体及び作業室開口付近の気体を吸気、収容する事により、作業室と実験室との間の実質的遮断を、より確実なものとする。
【００１６】
エアカーテンの吹き出し口からの空気流は、作業室開口枠下縁に向かって流れ、直接、作業員に吹きか掛からないから、フード前面で作業する作業員に対して、作業環境を損ねるおそれが少ない。上述の理由から、作業環境の温度、音響などの作業者に与える不快感を拭い去る事が可能である。
エアカーテン用設備が全般的に小さくてすむから、実験室内の空調空気をエアカーテンに利用することもでき、 勿論、省エネルギー効果も向上可能である。
【発明を実施するための最良の形態】
【００１７】
フードの作業室開口を開閉するパネルを二重構造にし、その作業室開口枠下縁に対向する二重構造パネル空間の下端側縁開口をエアカーテンの空気流の吹き出し口とし、エアカーテンの空気流吹き出し口を移動可能とし、又、パネルの移動量（開口高さ）に応じて空気供給量を調整する事により課題を解決した点を特徴としている。
更に、パネルの下端側縁開口と対向する開口枠下縁に吸気口（孔）を穿設して、エアカーテンの空気流及び開口付近の気体を吸入・排気させる事によって、エアカーテンによる作業室開口の遮断作用を、より効果あらしめている。
【実施例１】
【００１８】
図１は、本件発明のフードの一部断面図を示し、フレーム１に囲まれた作業室２には、その裏（奥）壁に吸（排）気装置に連通する複数条のスリット３が穿設されている。
なお、作業室２内から吸い出された気体は、然るべき処理装置を通し無害化した後に、外気に放出するのが一般である。
【００１９】
作業室２の開口部４は、上下方向に移動可能なパネル５を介して（実験）室と繋がっており、フードの前面に居る作業員は前記開口４を通して実験資材を作業室２内に搬入し、所要の実験・作業を遂行し、又、排除する事ができる。
【００２０】
従来型式のアエカーテン付設フードの場合は、一般に前記パネル５の前側上端縁部付近にエアカーテン用空気吹き出し口を配置して、パネル５面に沿って下方に空気流を形成し、この空気流によってパネル下端縁から開口枠下縁迄に拡がる作業室２の開口面を外気（実験室）に対して遮断するようにしているから、空気吹き出し口が固定的で、吹き出し口から開口枠下縁迄の距離が長く、作業室開口４を外気に対し全面的に有効に遮断しようとすれば、厚く、かつ高速の空気流量よりなるエアカーテンが必要になる。従って、作業中はフードの前面に居る作業員に対し、まともにエアカーテン用吹き出し空気流が当たる事になる。
【００２１】
作業室２内の天井部には、４０Ｗの蛍光灯８を設置して作業室２内を照明し、室内で行なう実験、観察の便宜を図り、又、作業室底面は、通常、流し台６を形成して、実験などで汚染された試料の洗浄液を流し台６、トラップ７を介して外部に排除するようにしている。
【００２２】
図１中、パネル５の上端両端縁にはワイヤー９を結び、これをフレーム１の天井部に軸支した巻き揚げドラム１０に掛け渡してパネル５を吊し、前記巻き揚げドラム１０を駆動することにより、パネル５を開口４両側枠に設けた誘導溝１１に沿って上下方向に滑動させ、以って作業室２の開口４を室外に対し開放又は閉鎖する。但し、パネル５の前後面とフレーム１との間は、パネル５の移動とは無関係に、例えばゴムブレードのような部材を介して外気と気密を保持している。
【００２３】
なお、上記吊り下げワイヤー９の一方の他端には、釣合い錘１２が繋がり、又、他方の他端には後に解説する定加重装置１３が並列に繋がり、パネル５の重量によりワイヤー９に生じる張力を釣り合わせている。定加重装置１３の構造、装着手段には、多々様式があり、要するに、力学的に釣合い錘１２が定加重装置１３と直列に作用するように設ける。上記定加重装置１３は、各巻き揚げドラム１０にそれぞれ掛け渡して釣り合いを採る事が好ましい。
又、前記釣合い錘１２の上下端位置を計って、巻き上げモーターの電力を切り、ブレーキを掛けるようにすれば自動開閉機構を付設する事ができる。
前記パネル５の釣合い構造に定加重装置１３を挿入することにより、パネル５及び釣合い錘１２を含むパネル移動系の全質量を小さくする事が可能になるので、パネル５が割合、大きな質量を備えているにも拘わらず、比較的に少ない動力によって、容易に移動させる事が出来、又、パネルの慣性に逆らって所望の位置に停止させることも容易になっている。更に上記重量物及び支障機構物の収容スペースの配分においても、自由度が高い。
【００２４】
パネル５の下端縁開口（空気吹き出し口）１４に対向した、開口４枠下縁全幅に、排（吸）気口（孔）を穿設した吸気部１５を配置して、パネル５の下端縁開口１４からの吹き出し空気及び開口４下縁附近の気体を吸（排）気する構造とする。
なお、パネル５下端縁開口１４からの空気吹き出し量・流速及び前記吸気部１５の吸（排）気容量は、開口４の面積の広さ、即ち、パネル５の下端縁開口１４と吸気部１５との距離に応じて、調整する事により、エアカーテンの送気容量に較べ作業室開口の遮断効果をより向上させるよう努める事ができる。
【００２５】
例えば給気装置及び吸（排）気容量は、開口４の開口面積に応じインバータモーターで回転数を制御して、空気の送風量、流速、吸気量を調節する。なお、給気装置とエアーカーテン用空気吹き出し口との間には、然るべきフィルターが設置されている事が好ましい。
作業室２の開口４が全面的に開放されているとき、即ち、パネル５の下端縁開口１４と吸気部１５との距離が最大であるときには、エアーカーテン用空気吹き出し量、流速は、設計値出力の最大で、その空気流は全面的に開口４を外気に対して、遮断している。
【００２６】
パネル５の下端縁開口１４が開口枠下縁の吸気部１５に近付くにつれてエアーカーテン用空気吹き出し量、流速を減らしても、効果的に開口４を遮断することが可能である。
それに応じて開口枠下縁の吸気部１５の空気の吸気量を減らしても、エアーカーテンによる遮断効果は変化しない。
【００２７】
パネル５の下端縁開口１４からのエアーカーテン用空気吹き出し気流は、作業室開口４を効果的に遮断して真っ直ぐ開口枠下縁の吸気部１５に向かうから、フード前面に居る作業員には当たらない。従って、エアーカーテン用吹き出し空気を何処から採っても、作業員は特段の影響を受ける恐れが無い。又、気流容量に較べ、エアーカーテンの遮断効率が良好なので、エアーカーテン設備の容量を小さくする事ができ、エアーカーテン設備に原因する振動音も比較的に発生せず、作業環境を悪化させる恐れが少ない。
勿論、省エネ効果も期待することが可能である。
【００２８】
エアーカーテン用空気吹き出し量が開口枠下縁の吸気部１５の空気の吸気量よりも大量である場合は、エアーカーテン用空気吹き出し空気の若干は，作業室２内に吸い込まれる傾向を生じる。又、開口枠下縁の吸気部１５の空気の吸気量がエアーカーテン用空気吹き出し量よりも大量である場合は、作業室２内の開口４付近の気体が吸気部１５に吸い込まれる傾向を生じる。いずれにしても、作業室２内の気体が室外に漏洩する恐れは無く、作業室開口４の、閉鎖は確保できる。
【００２９】
なお、給気用インバーターモータの回転数制御は，例えばパネル５の誘導溝１１に沿った所々に感知装置を配置して、制御装置にパネルの位置信号を送るようにして行う事ができる。  又、手動的には、パネルの位置に応じボタンを回して、制御することも可能である。
【００３０】
エアーカーテン用空気吹き出し量の制御は、インバーターモータの利用に限られず、例えば、給気フアンとパネル上端縁とを結ぶ気体流分岐路に設けたダンパーの開度をパネルの位置信号によって調節し、パネルに送る風量を調整する手段もある。その際は、余分な給気を分岐路を介して室外に排気する。
また、作業室開口４の開口面積が狭くなったときに作業室内の気圧が低くなり過ぎ、その為エアーカーテン用気流が乱れて開口の遮蔽が破れないないよう、作業室天井に外気取り入れ口２１を穿設し、ダンパー２２によって外気取り入れ量を調整し、作業室内の気圧を適宜保持する。
【００３１】
パネル５の詳細は、図２示の断面図に示すように、１６００ｍｍ×７４５ｍｍ、５ｍｍ厚の透明な強化ガラス２枚を３０ｍｍ間隔を隔てて重ね合わせ、その両側縁をスペーサー１６を挟んで外側から断面コ字状金属枠１７を用いて固定したものである。従って、パネル５は二重構造の上下端縁に開口を有し、ガラス板の間隙を通してその上下端縁間口を通して空気を流通させることが可能な構造を備えている。
【００３２】
前記枠１７は、又、パネル５の上下滑動部を形成し、作業室２の気密保持作用及び吊下げワイヤ９の取付け部としても、有用である。
パネル５の左右縁のコ字状金属枠１７に取り付けた２本のワイヤー９を、フレーム１上部に軸設した左右の巻き揚げドラム１０に掛け渡して、パネル５を開口４に沿って同口４を閉鎖するような位置に吊るし、コ字状金属枠１７を作業室開口枠の左右縁に設置した滑動溝１１に嵌入して、パネル５の上下方向移動を誘導すると共に、作業室開口を外気に対して密封する。
【００３３】
図３は、フレーム１上部、巻き揚げドラム１０を含むフレーム１の平断面図で、径１５ｍｍの軸１８を作業室２の開口４幅一杯に掛け渡して軸受けし、その左右両端に前記巻き上げドラム１０を固定して、ここに、パネル５を吊るす２本のワイヤー９を均等に掛け渡している。
別に設けた動力１９により、軸１８を回動させれば、両端に固着してあるドラム１０に掛け渡したワイヤー９を介して、パネル５が開口４面に沿って上下方向に移動する。その際、ドラム１０面とワイヤー９との間で滑りが生じ、パネル５が左右均等に移動しない現象が生じることを防ぐために、ドラム１０をスプロケットに、ドラム１０に接するワイヤー９の部分をチェーンに形成することも出来る。
【００３４】
要するに、ドラム１０面とワイヤー９との間で滑りが生じないように配慮する。さもないと、パネル５が左右不均等に移動して、パネル５下端縁と開口枠下縁との間の間隔が平行に成らず、開口４を完全に閉鎖することが出来ない。
その際，先に述べたとおりの理由により、小さな動力でパネルの移動が容易に出来るし、又、定低位置に停止させる事も自由である。
【００３５】
再び、図１に戻って、パネル５の上端縁は、外気と密閉されたエアカーテン用空気供給室２０に連通しており、結局、エアカーテン用空気供給室２０は、パネル５の上下方向位置の如何に拘り無く、パネル５の二重空間及び下端縁開口（エアカーテン吹き出し口）１４を介して、外気に開放されている。
従って、空気供給室２０に供給される空気量をインバーターモーターにより適宜加減すれば、吹き出し口１４から吹き出すエアカーテン空気量・空気流速も、作業室開口面積の大小に応じて調整することが出来る。又、同様の事が開口枠下縁の吸気口１５においても、実施可能である。
【００３６】
本実施例では、要するにエアカーテン吹き出し口１４は、パネル５の上下方向移動と共に移動して、実質上、作業室２の開口４を閉鎖するよう作用している。
当然に、作業室２の開口４を閉鎖するに必要なエアカーテン吹き出し空気量(流速)は、開口２の面積の宏挟に関係して変動させる事ができるから、エアカーテン用空気供給量は、その要求される作用に較べて、効率的である。
【００３７】
パネル５の下端縁開口１４から吹き出される空気流は、開口４を閉鎖する作用を果たした後、対向する開口枠下縁に設けられた吸（排）気装置１５によって収容され外部に排気される。  吸気口は、その外、開口４の下縁枠付近の気体を含めて、吸排気し、作業室２から漏れる有害物質を外部へ排除し、実験室内に漏れることを防ぐ作用をしている。
パネル５の下端縁開口１４から吹き出されるエアカーテン用空気供給量を調整する以上、吸排気装置１５の排気容量も、同様に、調整されて良い。
【００３８】
エアカーテン用空気供給量を一定にして、これを作業室の開口の宏狭に応じダンパーを用いてパネル下端縁開口と作業室内とに分岐させる従来型式(例えば、特開平７−２７５７１７号公報記載)のフードでは、構造上、作業室の開口を通じて室内空気が室外へ漏洩する恐れがあり、エアカーテン用空気流が、作業室の開口を完全に閉鎖する事は可能でないといった問題が生じる。
また、パネルが作業室の開口を閉じた後には、エアカーテン用供給空気が作業室内に吹き込むから、作業室内で行う実験にも、外気、粉塵を嫌う試験はできないといった不都合が生じる。
【００３９】
先に解説した、定荷重装置１３に付いて、説明する。同装置は定荷重バネとも称せられ、図４に示すようなバネ機構を主要部としている。バネ素子は、大略、引っ張り用と回転用とに別れ、何れも戻る力、回転トルクが一定である〔図４（ａ）参照〕。本実施例では、行程を長くするため回転用バネをシリーズに繋げた装置〔図４（ｃ），（ｄ）〕を用いている。
渦巻きバネの中心軸に固着したドラムに倦回したワイヤの他端を、定荷重バネに逆らって引っ張り出しドラム１０に掛け渡して、パネル５重量、ワイヤー９によってドラム１０に生じた回転トルクと反対向きのトルクを与え、釣り合わせ力を与える。
【００４０】
若し、釣合い錘１２のみによってパネル５の重量の釣合いを保持した場合には、パネル５及び釣合い錘１２の慣性に基づき、この移動系物体を動かすために大きな動力が必要になり、又、微妙な位置に停止させようとしても、移動系物体の慣性のため、急には停められない事になる。
本実施例では、パネル５重量の大きさに較べ、充分に小さな動力を用いて、移動させることが可能である。要するに、作業員に負荷を掛けることを回避している。
【実施例２】
【００４１】
図１に示す実施例では、パネル５の上端縁開口が、エアカーテン用空気供給室２０に連通しているが、フレキシブルチューブ及び (ホッパー状の) 空気導入部を介してパネル５の上端縁開口をエアカーテン用空気供給部に連通しても、同等の効果を期待することが出来る。その際には、パネル５の外壁と外気との間に密封手段を設ける必要が無い。
又、実施例１に示す空気供給室２０のような大きな空気室を備える事を要しない。
要するに、パネル５の上端縁開口を介して、エアカーテン用空気供給部をパネル５の下端縁開口、吹き出し口１４に直接、連通させれば良い。但し、吹き出し口１４から、左右幅均等に空気流ができるように、流路を設計する事が重要である。
【産業上の利用可能性】
【００４２】
従来型式のエアカーテン付設のフードに不可避の諸々の使い勝手の悪さを改良して、作業員の作業環境を向上させ、作業室の開口遮断作用をより効果的に行うと共に、省エネルギー対策にも貢献する。この種効果を必要とする、例えば、クリーンベンチ、バイオクリーンベンチの作業室用のドア、扉、若しくは半導体のウエハー洗浄室の扉として、産業上の利用可能性は高いと考えられる。
【図面の簡単な説明】
【００４３】
【図１】本発明フードの縦断面略図である。
【図２】パネルの平断面図を示す。
【図３】図１中、III−III線に沿って切断した巻き揚げドラムを含む平断面図を示す。
【図４】定負荷装置の説明図である。
【符号の説明】
【００４４】
１    フレーム
２    作業室
３    スリット
４    開口
５    パネル（扉）
６    流し
７    トラップ
８    蛍光灯
９    吊り下げワイヤー
１０  ドラム
１１  コ字状金属枠
１２  釣合い錘
１３  定荷重装置
１４  パネル下端縁空気吹き出し口
１５  吸気口（孔部）
１６  スペーサー
１７  誘導溝
１８  軸
１９  動力
２０  空気室
２１  外気取り入れ口
２２  ダンパー
【図１】
0004435099.tif 000002
【図２】
0004435099.tif 000003
【図３】
0004435099.tif 000004
【図４】
0004435099.tif 000005